(57)【要約】【課題】  移動先であっても追加での端末操作を行うことなく、移動先の番組情報をもとにした好みに合ったテレビ番組表を得ることを可能にする。【解決手段】  本発明は、外部からユーザの移動先と移動先での滞在期間を含むスケジュールデータを取得し、移動先の地名を抽出し、移動先の地名と移動先の滞在期間に基づいて、番組情報提供サービスが提供しているテレビ番組表を取得し、視聴履歴または行動履歴を参照してユーザの嗜好を抽出し、テレビ番組表から該嗜好に合致する番組を選択し、番組データを所定の形態の視聴予約データに変換し、視聴予約データ記憶手段に格納する。視聴予約データ記憶手段に格納されている視聴予約データをユーザの携帯電話、または、Ｗｅｂサイトに登録する。【選択図】  図１
2011009971.tif 000002
【特許請求の範囲】
【請求項１】
個人の嗜好、予定にあわせたテレビ番組情報を提供する番組予約装置であって、
外部からユーザの移動先と移動先での滞在期間を含むスケジュールデータを取得してスケジュール記憶手段に格納するスケジュール取得手段と、
前記スケジュール記憶手段から前記スケジュールデータを取得して前記移動先の地名を抽出する移動先分析手段と、
前記移動先の地名と移動先の滞在期間に基づいて、番組情報提供サービスが提供しているテレビ番組表を取得する番組取得手段と、
前記ユーザの視聴履歴が格納された視聴履歴記憶手段、該ユーザの行動履歴が格納された行動履歴記憶手段の両方またはいずれかを参照して、該ユーザの嗜好を抽出し、前記番組取得手段で取得した前記テレビ番組表から該嗜好に合致する番組を選択する番組選択手段と、
前記番組データを前記所定の形態の視聴予約データに変換し、視聴予約データ記憶手段に格納する視聴予約データ作成手段と、
を有することを特徴とする番組予約装置。
【請求項２】
前記視聴予約データ記憶手段に格納されている前記視聴予約データを前記ユーザの携帯電話に登録する登録手段を更に有する
請求項1記載の番組予約装置。
【請求項３】
前記視聴予約データ記憶手段に格納されている前記視聴予約データを、前記ユーザが移動先で使用するコンピュータからアクセス可能なＷｅｂサイトに登録する登録手段を更に有する
請求項1記載の番組予約装置。
【請求項４】
個人の嗜好、予定にあわせたテレビ番組情報を提供する番組予約方法であって、
コンピュータが、
外部からユーザの移動先と移動先での滞在期間を含むスケジュールデータを取得してスケジュール記憶手段に格納するスケジュール取得ステップと、
前記スケジュール記憶手段から前記スケジュールデータを取得して前記移動先の地名を抽出する移動先分析ステップと、
前記移動先の地名と移動先の滞在期間に基づいて、番組情報提供サービスが提供しているテレビ番組表を取得する番組取得ステップと、
前記ユーザの視聴履歴が格納された視聴履歴記憶手段、該ユーザの行動履歴が格納された行動履歴記憶手段の両方またはいずれかを参照して、該ユーザの嗜好を抽出し、前記番組取得ステップで取得した前記テレビ番組表から該嗜好に合致する番組を選択する番組選択ステップと、
前記番組データを前記所定の形態の視聴予約データに変換し、視聴予約データ記憶手段に格納する視聴予約データ作成ステップと、
を行うことを特徴とする番組予約方法。
【請求項５】
前記視聴予約データ記憶手段に格納されている前記視聴予約データを前記ユーザの携帯電話に登録する登録ステップを更に行う
請求項４記載の番組予約方法。
【請求項６】
前記視聴予約データ記憶手段に格納されている前記視聴予約データを、前記ユーザが移動先で使用するコンピュータからアクセス可能なＷｅｂサイトに登録する登録ステップを更に行う
請求項４記載の番組予約方法。
【請求項７】
請求項1乃至３のいずれか1項に記載の番組予約装置を構成する各手段としてコンピュータを機能させるための番組予約プログラム。
【発明の詳細な説明】
【技術分野】
【０００１】
本発明は、番組予約装置及び方法及びプログラムに係り、特に、IPTV(Internet Protocol Television)、VOD(Video On Demand)、デジタルＴＶ等における番組の視聴や録画予約を行うための番組予約装置及び方法及びプログラムに関する。
【背景技術】
【０００２】
従来、テレビ受信機やそれを遠隔で操作する端末（操作端末）とその操作をしている視聴者との対応関係を明確にし、また、視聴者と視聴者が所在する地域との対応関係も明確にし、これにより、地域によって放送される番組が異なっても、地域差を吸収して視聴者の好みに合った番組の情報を得ることができる、番組情報通知方法がある（例えば、特許文献1参照）。
【先行技術文献】
【特許文献】
【０００３】
【特許文献１】特開２００5−３２３３１４号公報
【発明の概要】
【発明が解決しようとする課題】
【０００４】
しかしながら、上記の従来の方法は、操作者がどの地域に居るのかを特定するために、GPSの位置情報、携帯電話会社が提供する場所情報を入手する手段や、手入力による場所の特定が必要となる。また、ユーザが旅行等に出かけて通常とは異なる地域にいる場合、ユーザが出先から推薦情報を生成する情報生成装置にアクセスして、推薦情報を取得する処理を行う必要がある。
【０００５】
本発明は、上記の点に鑑みなされたもので、移動先であっても追加での端末操作を行うことなく、移動先の番組情報をもとにした好みに合ったテレビ番組表を得ることが可能な番組予約装置及び方法及びプログラムを提供することを目的とする。
【課題を解決するための手段】
【０００６】
図１は、本発明の原理構成図である。
【０００７】
本発明（請求項１）は、個人の嗜好、予定にあわせたテレビ番組情報を提供する番組予約装置であって、
外部からユーザの移動先と移動先での滞在期間を含むスケジュールデータを取得してスケジュール記憶手段１０２に格納するスケジュール取得手段１０１と、
スケジュール記憶手段１０２からスケジュールデータを取得して移動先の地名を抽出する移動先分析手段１０３と、
移動先の地名と移動先の滞在期間に基づいて、番組情報提供サービスが提供しているテレビ番組表を取得する番組取得手段１０４と、
ユーザの視聴履歴が格納された視聴履歴記憶手段１０６、該ユーザの行動履歴が格納された行動履歴記憶手段１０７の両方またはいずれかを参照して、該ユーザの嗜好を抽出し、番組取得手段１０４で取得したテレビ番組表から該嗜好に合致する番組を選択する番組選択手段１０５と、
番組データを所定の形態の視聴予約データに変換し、視聴予約データ記憶手段１１０に格納する視聴予約データ作成手段１０８と、を有する。
【０００８】
また、本発明（請求項２）は、視聴予約データ記憶手段１１０に格納されている視聴予約データをユーザの携帯電話に送信する登録手段１０９を更に有する。
【０００９】
また、本発明（請求項３）は、視聴予約データ記憶手段１１０に格納されている視聴予約データを、ユーザが移動先で使用するコンピュータからアクセス可能なＷｅｂサイトに送信する登録手段１０９を更に有する。
【００１０】
図２は、本発明の原理を説明するための図である。
【００１１】
本発明（請求項４）は、個人の嗜好、予定にあわせたテレビ番組情報を提供する番組予約方法であって、
コンピュータが、
外部からユーザの移動先と移動先での滞在期間を含むスケジュールデータを取得してスケジュール記憶手段に格納するスケジュール取得ステップ（ステップ１）と、
スケジュール記憶手段からスケジュールデータを取得して移動先の地名を抽出する移動先分析ステップ（ステップ２）と、
移動先の地名と移動先の滞在期間に基づいて、番組情報提供サービスが提供しているテレビ番組表を取得する番組取得ステップ（ステップ３）と、
ユーザの視聴履歴が格納された視聴履歴記憶手段、該ユーザの行動履歴が格納された行動履歴記憶手段の両方またはいずれかを参照して、該ユーザの嗜好を抽出し、番組取得ステップで取得したテレビ番組表から該嗜好に合致する番組を選択する番組選択ステップ（ステップ４）と、
番組データを所定の形態の視聴予約データに変換し、視聴予約データ記憶手段に格納する視聴予約データ作成ステップ（ステップ５）と、を行う。
【００１２】
また、本発明（請求項５）は、視聴予約データ記憶手段に格納されている視聴予約データをユーザの携帯電話に送信する登録ステップ（ステップ６）を更に行う。
【００１３】
また、本発明（請求項６）は、視聴予約データ記憶手段に格納されている視聴予約データを、ユーザが移動先で使用するコンピュータからアクセス可能なＷｅｂサイトに送信する登録ステップを更に行う。
【００１４】
本発明（請求項７）は、請求項1乃至３のいずれか1項に記載の番組予約装置を構成する各手段としてコンピュータを機能させるための番組予約プログラムである。
【発明の効果】
【００１５】
上記のように本発明によれば、ユーザの所在地をGPSや、携帯電話会社が提供する位置情報で入手することなく、かつ、手入力でユーザの所在地を別途指定することなく、ある日ある地域で放送されている番組であっても、その日その地域に居れば、そのユーザの嗜好に合わせてレコメンドすることができる。さらに、携帯電話に視聴予約データを登録しておくことにより、自動的にテレビを操作するので、出先等からレコメンド情報を取得する処理を行うことなく、かつ、見逃すことなく、番組を視聴できる。
【００１６】
また、地域によってチャンネル番号が異なり、すぐには番組が探せないような場合でも、本発明によれば、携帯電話が自動的にその番組が放送されているチャンネルに合わせてテレビを操作してくれるというメリットがある。
【００１７】
これらが自動で行われるので、ユーザの利便性が向上する。さらに、番組提供者の側からも視聴率向上が期待できるという効果がある。ひいては、コンテンツ流通ビジネスの活性化への貢献も期待できる。
【図面の簡単な説明】
【００１８】
【図１】本発明の原理構成図である。
【図２】本発明の原理を説明するための図である。
【図３】本発明による実現されるサービスのイメージである。
【図４】本発明の一実施の形態におけるホームサーバの構成図である。
【図５】本発明の一実施の形態における携帯電話に視聴予約登録する場合の動作のシーケンスチャートである。
【図６】本発明の一実施の形態におけるスケジュールデータの例である。
【図７】本発明の一実施の形態におけるＷｅｂサイトに視聴予約する場合の動作のシーケンスチャートである。
【発明を実施するための形態】
【００１９】
以下、図面と共に本発明の実施の形態を説明する。
【００２０】
図３は、本発明により実現されるサービスのイメージを示す。また、図４は、本発明の一実施の形態におけるホームサーバの構成を示す。また、図５は、本発明の一実施の形態における動作のシーケンスチャートである。
【００２１】
以下では、図３に示すように、ユーザは、ＰＣ（パーソナルコンピュータ）３や、ＳＴＢ(Set Top Box)や録画装置５と接続可能なホームサーバ1を有し、当該ホームサーバ１は、ホームネットワーク７を介してＷｅｂ上のスケジューラサービスを提供する装置４、地上デジタル送信、ＣＡＴＶ等の映像配信サービス、あるいは、Ｗｅｂ上の番組情報提供サービスのサーバ６と接続されている環境を例として説明する。
【００２２】
なお、ホームサーバ１に接続されるＳＴＢや録画装置５は、ホームサーバ1に対して視聴履歴を提供するものであり、ホームサーバ１は取得した視聴履歴を視聴履歴記憶部（ＤＢ）に格納しているものとする。
【００２３】
ホームサーバ１は、スケジュール取得部１０１、スケジュール記憶部１０２、移動先分析部１０３、ＥＰＧ(Electric Program Guide)取得部１０４、番組選択部１０５、視聴履歴記憶部１０６、行動履歴記憶部１０７、視聴予約データ作成部１０８、視聴予約データ記憶部１１０、視聴予約登録部１０９、データ更新部１１１から構成される。なお、視聴履歴記憶部１０６及び視聴履歴記憶部１０７には、予めホームサーバ1で取得した視聴履歴や行動履歴が格納されているものとし、その収集方法については言及しない。
【００２４】
以下では、携帯電話２に視聴予約登録する場合について説明する。
【００２５】
ステップ１０１）  ユーザは、旅行や（出張）や、打合せ等の予定が決まると、ＰＣ３や携帯電話２等のスケジューラにその予定を書き込む、あるいは、それら（ＰＣ、携帯電話等）を通して、Ｗｅｂ上のスケジューラサービス４を利用する場合もある。
【００２６】
ステップ１０２）  ネットワーク７につながっているホームサーバ１のスケジュール取得部１０１は、上記各デバイス、サービスからユーザのスケジュールデータを受け取り、スケジュール記憶部１０２に格納する。受け取る方法は、ユーザがスケジュールを追加あるいは既存スケジュールを更新した契機に各デイバスからホームサーバ１に送信する方法、あるいは、ホームサーバ１から各デバイスに定期的に問い合わせを行って、新規追加または更新があった場合にその情報を受け取る方法がある。更新の方法については後述する。
【００２７】
ステップ１０３）  ホームサーバ１の移動先分析部１０３は、スケジュール記憶部１０２に格納されているスケジュールデータから、ユーザがいつどこに居るかを分析する。図６に示すようなスケジュールがスケジュール記憶部１０２に格納されている場合、
Ｓ１：2009年2月1日8：30〜2月2日15：00は「F市」に滞在；
Ｓ４：2009年3月18日8：30〜3月20日17：00はＥ大学の周辺に滞在；
ということがわかる。なお、Ｓ４のように地名に関する情報が直接記入されていない場合は、知識ベース（図示せず）を用いて、固有名詞から地名を判断する。Ｓ４の場合は「Ｅ大学」をキーとして検索し、「Ｍ市」を取得したものとする。
【００２８】
ステップ１０４）  上記分析に基づき、ホームサーバ１のＥＰＧ取得部１０４は、ユーザのスケジュールの期間（Ｓ１の場合は、2009年2月1日8：30〜2月2日15：00）にＦ市及びＭ市で放送されているテレビ番組表（EPG）をネットワークを通じて取得する。
【００２９】
ステップ１０５）  ホームサーバ１の番組選択部１０５は、取得したEPGとスケジュールデータを基に、
2009年2月1日8：30〜2月2日15：00に「F市」で放送されている番組；
2009年3月18日8：30〜3月20日17：00に「Ｍ市」で放送されている番組；
の中から、ユーザの嗜好に合った番組を抽出する。なお、ユーザの「嗜好」については、テレビやＳＴＢから取得され視聴履歴記憶部１０６に格納されている視聴履歴や、行動履歴記憶部１０７に格納されている携帯電話やＷｅｂ等から取得された購買履歴や行動履歴等の情報を用いて総合的に分析される。嗜好を求める方法として、例えば、特開２００３−２６０１４６号公報に記載の技術を用いることが可能である。
【００３０】
ステップ１０６）  視聴予約データ作成部１０８は、番組選択部１０５で抽出された番組から携帯電話２で利用可能な形式の番組データ（視聴予約データ）を生成し、予約データ記憶部１１０に格納する。
【００３１】
ステップ１０７）  視聴予約登録部１０９は、作成された視聴予約データを視聴予約データ記憶部１１０から取得して携帯電話２に登録する。登録方法としては、メールによる方法や、赤外線通信、Bluetooth等による近接通信等が考えられる。
【００３２】
ステップ１０８）  ユーザは、スケジュール通りに携帯電話２を持って旅行または出張である場所に赴く。ホテル等の宿泊地において、携帯電話２上のアプリケーションを起動してテレビの前に置いておけば、携帯電話の赤外線によるリモコン機能を用いて、上記視聴予約データに従い、指定の時間に指定のチャンネルに切り替えることによって、ユーザはその日その場所でユーザの嗜好に合った番組を視聴することとなる。
【００３３】
また、ホームサーバ1のスケジュール取得部１０１が、スケジューラ４に対して定期的に新規追加の有無を問い合わせる場合は、データの取得は以下のようになる。
【００３４】
（１）スケジュール取得部１０１からスケジューラ４に対して問い合わせを行う。
【００３５】
（２）新規追加がなければ終わる。
【００３６】
（３）新規追加があれば、そのデータを1件取得する。
【００３７】
（４）上記の（２）と（３）の処理を、新規追加がなくなるまで繰り返す。
【００３８】
また、スケジュールデータを受け取る単位がスケジュール全体の場合には、検索を実施する時点において過去のスケジュールは検索対象から外す処理が必要となる。例えば、図６に示す全体のデータを受け取った場合に、検索する日時が2009年2月5日12:00であれば、この時点で過去となっているＳ１，Ｓ２については検索対象外となるため、データ更新部１１１は、Ｓ１，Ｓ２のレコードを削除する。
【００３９】
スケジュールの更新及び削除の場合には、視聴予約データ記憶部１１０に蓄積されている既予約情報との比較が必要となる。すなわち、
（１）スケジュール取得部１０１は、スケジュール更新データを取得する。
【００４０】
（２）データ更新部１１１は、スケジュール取得部１０１からスケジュール更新データを取得し、視聴予約データ記憶部１１０内の既予約データの有無を調べ、ある場合には更新内容に応じた処理を実施する。
【００４１】
例えば、「開始日時」が既予約番組の放送日時の後に延期になる場合には、既予約を取り消す。"場所"が変更され、内容が合致しなくなった場合にも既予約を取り消す。具体的には、データ更新部１１１は、スケジュール記憶部１０２から読み出したスケジュール更新データの日時に対応するレコードを視聴予約データ記憶部１１０から検索し、当該レコードを削除する。場所が変更になった場合は、まず、スケジュール更新データの日時に対応するレコードを検索し、移動先分析部１０３で得られた結果（場所）と当該レコードの場所が異なっていれば、当該レコードを削除する。
【００４２】
（３）新たなスケジュール更新データを基に、図５のステップ１０３以降の新規追加の場合と同様の検索を実施する。
【００４３】
上記は、携帯電話２に視聴を登録する場合について説明したが、Ｗｅｂ上のサービスとして視聴予約する場合も考えられる。
【００４４】
図７は、本発明の一実施の形態におけるＷｅｂサイトに視聴予約する場合の動作のシーケンスチャートである。以下では、ＰＣとテレビがネットワークで接続されており、ネットワークを介してチャンネル切り替え等の制御ができることが前提である。従って、テレビは通常のテレビではなく、IPTVなどのネットワークから映像配信を受けるサービスが適している。あるいは、ＰＣ上に放送番組チューナを持ち、テレビ番組を視聴できる場合でもよく、この場合はＰＣ内のソフトウェア同士で制御を行うことになる。
【００４５】
ステップ２０１）  旅行等の滞在先では、ユーザが滞在地に備えられたＰＣあるいは持参したＰＣを操作して、上記Ｗｅｂサービスサイトにアクセスし、そのサイト上で何らかの操作をする（ボタンクリックなど）。
【００４６】
ステップ２０２）  Ｗｅｂサイト（IPTVでの"My Page"など）では、ユーザからの指示により視聴予約データを作成し、ユーザが使用しているＰＣに送信する。
【００４７】
ステップ２０３）  ＰＣは、レコメンド番組の時間になると、テレビを起動し、チャンネル切り替え制御を実施する。
【００４８】
これによりユーザは嗜好に合った番組を視聴することができる。
【００４９】
なお、上記のホームサーバ１の各構成要素の動作をプログラムとして構築し、ホームサーバとして利用されるコンピュータにインストールして実行させる、または、ネットワークを介して流通させることが可能である。
【００５０】
また、構築されたプログラムをハードディスクや、フレキシブルディスク・ＣＤ−ＲＯＭ等の可搬記憶媒体に格納し、コンピュータにインストールする、または、配布することが可能である。
【００５１】
なお、本発明は、上記の実施の形態に限定されることなく、特許請求の範囲内において種々変更・応用が可能である。
【符号の説明】
【００５２】
１  ホームサーバ
２  携帯電話
３  パーソナルコンピュータ
４  Ｗｅｂ上のスケジューラサービスの装置、スケジューラ
５  ＳＴＢまたは録画装置
６  映像配信サービスまたは番組情報提供サービスの装置
７  ネットワーク
１０１  スケジュール取得手段、スケジュール取得部
１０２  スケジュール記憶手段、スケジュール記憶部
１０３  移動先分析手段、移動先分析部
１０４  番組取得手段、番組取得部
１０５  番組選択手段、番組選択部
１０６  視聴履歴記憶手段、視聴履歴記憶部
１０７  行動履歴記憶手段、行動履歴記憶部
１０８  視聴予約データ作成手段、視聴予約データ作成部
１０９  登録手段、視聴予約データ登録部
１１０  視聴予約データ記憶手段、視聴予約データ記憶部
１１１  データ更新部
【図１】
2011009971.tif 000003
【図２】
2011009971.tif 000004
【図３】
2011009971.tif 000005
【図４】
2011009971.tif 000006
【図５】
2011009971.tif 000007
【図６】
2011009971.tif 000008
【図７】
2011009971.tif 000009